(57)【要約】  【課題】  理解しやすい文章が得られ、短時間で文章を読解することができるとともに、通話においても違和感を生じることのない伝送装置および携帯電話システムを提供する。  【解決手段】  音声認識部１１で認識した音声情報から文章理解要約部１２により会話内容を理解するとともに会話内容の文章を要約し、理解した内容に応じた応答文を応答文生成部１６で生成し、生成した応答文を音声変換部１７により音声に変換する。そして、音声／文字信号切換部１４で携帯端末３への下り音声信号と文字信号との切り換えを行い、上り信号分離部１５では携帯端末３からの音声／文字の受信形態を選択する音声／文字受信選択信号と応答文選択信号と上り音声信号とを分離し、音声信号切換部１８で上記変換した応答文の音声信号と携帯端末３からの上り音声信号とを切り換える。【選択図】  図１
2006220917.tif 000002
【特許請求の範囲】
【請求項１】
通信装置に音声信号及び文字信号を伝送する伝送装置であって、
音声を認識する音声認識部と、
認識した音声から文章を理解するとともに文章を要約する文章理解要約部と、
要約した文章の文字信号を生成する文字信号生成部と、
を備える伝送装置。
【請求項２】
認識した音声から理解した文章の内容に応じた応答文を生成する応答文生成部と、
生成した応答文を音声信号に変換する音声変換部と、
を備える請求項１記載の伝送装置。
【請求項３】
前記音声変換部で変換した応答文の音声信号と前記通信装置からの音声信号とを切替える音声信号切替部を備える請求項２記載の伝送装置。
【請求項４】
前記音声変換部は、
音声認識により、入力された音声信号の音声サンプルの抽出及び音声特徴データの生成を行う音声認識部と、
音声サンプルを蓄積する音声サンプル蓄積部と、
前記音声認識部からの音声特徴データを蓄積する音声特徴データ蓄積部と、
前記応答文生成部からの応答文データに応じて、前記音声サンプルと前記音声特徴データとに基づいて合成音声を生成する合成音声生成部と、
を有する請求項２記載の伝送装置。
【請求項５】
請求項１ないし４のいずれか一項記載の伝送装置を備える携帯電話システム。
【発明の詳細な説明】
【技術分野】
【０００１】
本発明は、通信装置に音声信号及び文字信号を伝送する伝送装置およびこの伝送装置を有する携帯電話システムに関するものである。
【背景技術】
【０００２】
従来、電話機などの通信装置との間で音声や文字信号の伝送を行う伝送装置として、図３に示すような受信側端末の負担を軽減したものが提案されている（例えば特許文献１参照）。
【０００３】
このシステムは、送信装置１０１から伝送装置１０２を経由して受信装置１０３に音声／文字情報を伝送するもので、伝送装置１０２に音声と文字の情報を交換する情報交換部１０２ａを備えている。送信装置１０１および受信装置１０３は、それぞれ音声情報と文字情報のうちいずれか一方の送信および受信を行う。伝送装置１０２は、送信装置１０１からの情報を受信し、その情報の形態を受信装置が受信可能な情報に変換して受信装置１０３に送信する。
【０００４】
【特許文献１】特開平１０−４２０５６号公報
【発明の開示】
【発明が解決しようとする課題】
【０００５】
しかしながら、上記のような従来の伝送装置においては、音声情報を文字情報に変換する場合、送信者の話し言葉がそのまま文字に変換されるため、文字変換された文章の理解が難しいとともに、文字変換された文章が冗長になり、受信者が文章を読解するのに時間を要することがある。
【０００６】
また、文字情報を音声情報に変換する場合、送信者の文字による文章作成は音声よりも時間を要するため、送信者と受信者との間における即応性が低下し、通話において違和感が生じることがある。
【０００７】
本発明は、従来の問題を解決するためになされたもので、利用者が、音声による文章を文字情報として容易に理解することができる伝送装置および携帯電話システムを提供することを目的とする。また、受信内容に対してすばやく応答できる伝送装置および携帯電話システムを提供することを目的とする。
【課題を解決するための手段】
【０００８】
本発明の伝送装置は、通信装置に音声信号及び文字信号を伝送する伝送装置であって、音声を認識する音声認識部と、認識した音声から文章を理解するとともに文章を要約する文章理解要約部と、要約した文章の文字信号を生成する文字信号生成部と、を備える。上記構成によれば、認識した音声から文章を理解するとともに文章を要約する文章理解要約部を備えることにより、利用者は、会話内容等の音声による文章を文字情報として容易に理解することができる。
【０００９】
また、本発明の伝送装置は、認識した音声から理解した文章の内容に応じた応答文を生成する応答文生成部と、生成した応答文を音声信号に変換する音声変換部と、を備える。上記構成によれば、認識した音声から理解した文章の内容に応じた応答文を生成する応答文生成部を備えることにより、受信内容に対して、音声に対する応答文を文字入力する場合に比べて、すばやく応答できる。
【００１０】
また、本発明の伝送装置は、前記音声変換部で変換した応答文の音声信号と前記通信装置からの音声信号とを切替える音声信号切替部を備える。上記構成によれば、音声変換部で変換した応答文の音声信号と前記通信装置からの音声信号とを切替える音声信号切替部を備えることにより、複数系統の音声信号が送信されることがない為、違和感のない応答音声を伝送できる。
【００１１】
また、本発明の伝送装置は、前記音声変換部が、音声認識により、入力された音声信号の音声サンプルの抽出及び音声特徴データの生成を行う音声認識部と、音声サンプルを蓄積する音声サンプル蓄積部と、前記音声認識部からの音声特徴データを蓄積する音声特徴データ蓄積部と、前記応答文生成部からの応答文データに応じて、前記音声サンプルと前記音声特徴データとに基づいて合成音声を生成する合成音声生成部と、を有する。
【００１２】
さらに、本発明の携帯電話システムは、本発明の伝送装置を備える。
【発明の効果】
【００１３】
本発明によれば、認識した音声から文章を理解するとともに文章を要約する文章理解要約部を備えることにより、利用者は、会話内容等の音声による文章を文字情報として容易に理解することができる。また、本発明によれば、認識した音声から理解した文章の内容に応じた応答文を生成する応答文生成部を備えることにより、受信内容に対して、音声に対する応答文を文字入力する場合に比べて、すばやく応答できる。
【発明を実施するための最良の形態】
【００１４】
以下、本発明の実施形態の伝送装置および携帯電話システムについて、図面を用いて説明する。
【００１５】
図１は本発明の実施形態の音声文字変換機能付伝送装置を有する携帯電話システムの構成を示すブロック図である。この携帯電話システムは、センター局１と、基地局２と、携帯端末３とで構成されている。
【００１６】
センター局１は、基地局２を介して携帯端末３に音声信号及び文字信号を伝送する音声文字変換機能付伝送装置１０と交換装置２０で構成されており、音声文字変換機能付伝送装置１０は、音声認識部１１、文章理解要約部１２、文字信号生成部１３、音声／文字信号切換部１４、上り信号分離部１５、応答文生成部１６、音声変換部１７、および音声信号切換部１８を備えている。
【００１７】
音声認識部１１は、交換装置２０からの下り音声信号２１ａから音声を認識し、文章理解要約部１２は、その認識した音声情報から会話内容の文章を理解するとともに、会話内容の文章を要約する。文字信号生成部１３は、文章理解要約部１２で要約した文章の文字信号を生成し、応答文生成部１６は、文章理解要約部１２で理解した内容に応じた応答文を自動的に生成する。また音声変換部１７は、応答文生成部１６で生成した応答文を音声信号に変換する。
【００１８】
音声／文字信号切換部１４は、携帯端末３への下り音声信号２１ａと下り文字信号２２ａとの切り換えを行う。この切り換えられた信号は、下り音声信号２１ｂ、下り文字信号２２ｂとして携帯端末３へ伝送される。上り信号分離部１５は、携帯端末３からの音声／文字の受信形態を選択する音声／文字受信選択信号３１ｂと応答文選択信号３２ｂと上り音声信号３３ｂとを分離する。この分離された信号は、音声／文字受信選択信号３１ａ、応答文選択信号３２ａ、上り音声信号３３ａとして音声／文字信号切換部１４、応答文生成部１６、音声変換部１７、音声信号切換部１８へ入力される。
【００１９】
音声信号切換部１８は、音声変換部１７で変換した応答文の音声信号と携帯端末３からの上り音声信号３３ａとを切り換える。この切り換えられた信号は、上り応答音声信号３４として交換装置２０に入力される。
【００２０】
次に、上記のように構成された携帯電話システムの動作について説明する。
【００２１】
図不示の携帯端末または固定電話機から携帯端末３へ音声通話が発呼され、センター局１および基地局２を経由して通話のための呼出信号が携帯端末３に着信した状態において、携帯端末３の使用者は音声受信または文字受信、もしくは音声受信および文字受信の両方を選択する音声／文字受信選択信号３１ｂを返信する。この携帯端末３からの上り信号は、基地局２を経由してセンター局１へ伝送され、音声文字変換機能付伝送装置１０の上り信号分離部１５で音声／文字受信選択信号３１ａとして分離され、音声／文字信号切換部１４に入力される。
【００２２】
また、交換装置２からの下り音声信号２１ａは２分岐されて、その一方は音声認識部１１へ入力される。音声認識部１１は、入力された下り音声信号２１ａの音声解析を行い、会話文章データを作成する。この音声認識部１１で得られた会話文章データに基づき、文章理解要約部１２は会話内容を理解した文章理解データを生成するとともに、会話内容を要約した要約文章データを生成する。
【００２３】
応答文生成部１６では、上記文章理解要約部１２で生成した文章理解データに基づき、一つまたは複数の応答文候補を生成する。文字信号生成部１３では、文章理解要約部１２で生成した要約文章データと、応答文生成部１６で生成した応答文候補とに対応した下り文字信号２２ａを生成する。
【００２４】
音声／文字信号切換部１４では、上り信号分離部１５からの音声／文字受信選択信号３１ａに応じて、音声受信が選択されている場合には下り音声信号２１ａのみを、文字受信が選択されている場合には下り文字信号２２ａのみを、音声受信および文字受信の両方が選択されている場合には下り音声信号２１ａおよび下り文字信号２２ａを基地局２へ伝送する。
【００２５】
一方、携帯端末３で選択する応答文に対応した応答文選択信号３２ｂは、上り信号分離部１５で分離されて、応答文選択信号３２ａとして応答文生成部１６に入力される。そして、選択された応答文に対応する音声信号が音声変換部１７で生成される。この音声変換部１７で生成される音声信号は、携帯端末３の使用者の音声、あるいはあらかじめ登録されている任意の音声が用いられる。
【００２６】
また、音声信号切換部１８では、携帯端末３からの上り音声信号３３ｂが基地局２を通じて伝送された後、上り信号分離部１５で分離された上り音声信号３３ａがある場合にはその上り音声信号３３ａを優先し、上り音声信号３３ａがなく応答文選択信号３２ａにより応答文が選択されている場合には音声変換部１７で生成した音声を上り応答信号３４として交換装置２０へ伝送する。
【００２７】
このような本実施形態の伝送装置および携帯電話システムによれば、会話内容の文章を理解して要約する文章理解要約部１２と、文章理解要約部１２で理解した内容に応じた応答文を生成する応答文生成部１６と、生成した応答文を音声に変換する音声変換部１７を設けることにより、携帯端末３上で理解しやすい文章が得られ、短時間で文章を読解することができるとともに、通話においても違和感を生じることはない。
【００２８】
図２は本システムの音声変換部１７の構成を示すブロック図である。
【００２９】
音声変換部１７は、音声認識部１７１と、音声サンプル蓄積部１７２と、音声特徴データ部１７３と、合成音声生成部１７４と、応答文理解部１７５とで構成されている。
【００３０】
音声認識部１７１は、上り音声信号３３ａに対し音声認識を行って上り音声信号３３ａの音声サンプルを抽出するとともに、音声特徴データを生成する。音声サンプル蓄積部１７２は、音声認識部１７１で抽出した音声サンプルあるいは任意の音声サンプル２０１を蓄積し、音声特徴データ部１７３は、音声認識部１７１からの音声特徴データを蓄積する。合成音声生成部１７４は、入力された応答文データ２０２を応答文理解部１７５で理解したデータに応じて上記音声サンプルと音声特徴データから応答する合成音声を生成する。
【００３１】
次に、上記のように構成された音声変換部１７の動作について説明する。
【００３２】
通常の音声通話状態において、上り音声信号３３ａは音声認識部１７１に入力される。音声認識部１７１では、携帯端末３の使用者の音声の解析を行い、携帯端末３の使用者の音声サンプルの抽出と音声の特徴データの生成を行う。この音声認識部１７１で生成された携帯端末３の使用者の音声サンプル、あるいは任意の音声を生成するようにあらかじめ生成しておいた音声サンプル２０１は音声サンプル蓄積部１７２に蓄積され、また音声認識部１７１で生成された音声特徴データは音声特徴データ部１７３に蓄えられる。
【００３３】
応答文理解部１７５では、図１の音声文字変換機能付伝送装置１０の応答文生成部１６で生成された応答文データ２０２の解析を行い、会話口調の音声信号を生成するのに必要な会話口調データを生成する。合成音声生成部１７４では、音声サンプル蓄積部１７２および音声特徴データ部１７３のデータを基に、応答文データ２０２と応答文理解部１７５で生成された会話口調データに対応した応答合成音声信号２０３を生成する。
【００３４】
このように、本実施形態の音声変換部１７では、応答合成音声信号２０３を生成するのに必要な音声データを音声サンプルデータと音声特徴データとに分離しているので、単語や文節ごとに対応した大量の合成音声データを用意しなくとも、任意の応答文に対応した会話口調の合成音声を生成することができ、また合成音声生成に音節データのみを用いる場合より、自然な会話口調の合成音声を生成することができる。したがって、文字情報を音声情報に変換する場合の送信者と受信者との間における即応性が向上する。
【００３５】
なお、以上の説明における携帯端末３は、携帯電話のみならず、他の機能を持つ通信装置であっても同様に実施可能である。
【産業上の利用可能性】
【００３６】
本発明は、認識した音声から文章を理解するとともに文章を要約する文章理解要約部を備えることにより、利用者は、会話内容等の音声による文章を文字情報として容易に理解することができる効果を有し、通信装置に音声信号及び文字信号を伝送する伝送装置およびこの伝送装置を有する携帯電話システム等に有用である。
【図面の簡単な説明】
【００３７】
【図１】本発明にかかる音声文字変換機能付伝送装置を有する携帯電話システムの構成を示すブロック図
【図２】本発明の実施形態における音声変換部の構成を示すブロック図
【図３】従来の伝送装置の構成を示すブロック図
【符号の説明】
【００３８】
１  センター局
２  基地局
３  携帯端末
１０  音声文字変換機能付伝送装置
１１  音声認識部
１２  文章理解要約部
１３  文字信号生成部
１４  音声／文字信号切換部
１５  上り信号分離部
１６  応答文生成部
１７  音声変換部
１８  音声信号切換部
２０  交換装置
１７１  音声認識部
１７２  音声サンプル蓄積部
１７３  音声特徴データ部
１７４  合成音声生成部
１７５  応答文理解部
【図１】
2006220917.tif 000003
【図２】
2006220917.tif 000004
【図３】
2006220917.tif 000005